(57)【要約】【課題】洗濯機の洗剤投入装置において、水道水からの給水が止まった際に、注水口の上部水路に残水を生じさせない。【解決手段】洗剤投入部を有する洗剤ケースと、前記洗剤ケースを引き出し可能に収納する注水装置と、前記注水装置に設けられ、前記洗剤投入部に注水するための複数の注水口と、前記注水口に水を導く水路と、前記注水口の下部に傾斜面を有し、前記傾斜面に前記注水口よりも広い開口を複数有する残水導出部材とを備えた。【選択図】図１
2009201596.tif 000002
【特許請求の範囲】
【請求項１】
洗剤投入部を有する洗剤ケースと、前記洗剤ケースを引き出し可能に収納する注水装置と、前記注水装置に設けられ、前記洗剤投入部に注水するための複数の注水口と、前記注水口に水を導く水路と、前記注水口の下部に傾斜面を有し、前記傾斜面に前記注水口よりも広い開口を複数有する残水導出部材とを備えたことを特徴とする洗濯機の洗剤投入装置。
【請求項２】
前記残水導出部材は、傾斜面に設けられた複数の開口のうち、最下位置にある開口の上部に少なくとも１個の注水口が位置するように配置され、前記複数の開口の周囲の枠体の上部に少なくとも１個の注水口が位置するように配置されていることを特徴とする請求項１に記載の洗濯機の洗剤投入装置。
【請求項３】
前記残水導出部材の傾斜面に設けられた開口は、１辺が８ｍｍから１２ｍｍの略正方形であることを特徴とする請求項１と請求項２に記載の洗濯機の洗剤投入装置。
【請求項４】
前記残水導出部材の傾斜面に設けられた開口は、直径が９ｍｍから１４ｍｍの略円形であることを特徴とする請求項１と請求項２に記載の洗濯機の洗剤投入装置。
【請求項５】
前記残水導出部材の傾斜面に設けられた開口の周囲の枠体の幅が３ｍｍ以上となる部分を有することを特徴とする請求項１から請求項４に記載の洗濯機の洗剤投入装置。
【請求項６】
前記残水導出部材の傾斜面に設けられた開口は、１辺が９ｍｍの略正方形で、開口の周囲の枠体の幅が４ｍｍであることを特徴とする請求項１と請求項２に記載の洗濯機の洗剤投入装置。
【請求項７】
前記残水導出部材の傾斜面の傾斜角度が１度から５度の範囲内であることを特徴とする請求項１と請求項６に記載の洗濯機の洗剤投入装置。
【請求項８】
前記残水導出部材の傾斜面の傾斜角度が１度から３度の範囲内であり、前記注水口と前記残水導出部材の開口との距離が４ｍｍ以内に構成されていることを特徴とする請求項１から請求項６に記載の洗濯機の洗剤投入装置。
【請求項９】
前記残水導出部材の枠体に、前記洗剤ケースを引き出し方向手前側に水が漏れ出すことを防止するリブを備えたことを特徴とする請求項１から請求項８に記載の洗濯機の洗剤投入装置。
【請求項１０】
前記注水装置の水路の空間の高さが１０mm以下であることを特徴とする請求項１から請求項９に記載の洗濯機の洗剤投入装置。
【請求項１１】
請求項１〜請求項１０に記載の洗剤投入装置を搭載した洗濯機。
【発明の詳細な説明】
【技術分野】
【０００１】
本発明は、洗濯機の洗剤投入装置に関するものである。
【背景技術】
【０００２】
洗濯機において、洗濯開始時に洗剤を洗濯槽に溶かしながら投入する洗剤投入装置が利用されている。洗剤投入装置は、引き出し式の洗剤ケースが注水装置に収納可能に構成されており、収納された洗剤ケースに上部から注水を行い、投入された洗剤を溶かしながら流し出す構成となっている（例えば、特許文献１）。
【０００３】
【特許文献１】特許第３７９１１３８号
【発明の開示】
【発明が解決しようとする課題】
【０００４】
しかしながら、上記特許文献１等においては、注水装置内に設けられた複数の円形の穴からなる注水口が水平に配置されているため、水道水からの給水が止まった際に、各注水口において、水が重力により注水口から落下する力と、表面張力により上に引き戻す力とが平衡し易くなる。各注水口においてこの平衡状態が生じると注水口の上部水路に空気が入らず、また、水が落下せず、注水口の上部水路に残水を生じる。そして、後行程の脱水時の洗濯槽回転などによる振動で、この注水口の上部水路の残水が落下すると、水が洗濯槽内に落ちて衣類を濡らしてしまうという課題があった。
【０００５】
本発明は上記課題に対応するものであり、水道水からの給水が止まった際に、水路に残水しにくい注水装置、および前記洗剤投入装置を備えた洗濯機を提供するものである。
【課題を解決するための手段】
【０００６】
本発明は前記課題を解決するものであり、洗剤投入部を有する洗剤ケースと、前記洗剤ケースを引き出し可能に収納する注水装置と、前記注水装置に設けられ、前記洗剤投入部に注水するための複数の注水口と、前記注水口に水を導く水路と、前記注水口の下部に傾斜面を有し、前記傾斜面に前記注水口よりも広い開口を複数有する残水導出部材とを備えたものである。
【発明の効果】
【０００７】
本発明の洗濯機の洗剤投入装置は、洗剤投入部を有する洗剤ケースと、前記洗剤ケースを引き出し可能に収納する注水装置と、前記注水装置に設けられ、前記洗剤投入部に注水するための複数の注水口と、前記注水口に水を導く水路と、前記注水口の下部に傾斜面を有し、前記傾斜面に前記注水口よりも広い開口を複数有する残水導出部材とを備えたため、水道水からの給水が止まった際に、前記残水導出部材と前記注水口の間に保持される水と、前記水路に残った水とが注水口を介して一体となって、前記傾斜面の低い側の開口より導出される。また、これと同時に前記傾斜面の高い側の開口の上部に位置する注水口から前記水路に空気が流入する。このとき前記残水導出部材と前記注水口の間の水は高い位置から低い位置に流れるため、前記水路の一方からの水の導出と他方からの空気の流入が連続する。これにより、水路の残水が低減されるため、脱水時の洗濯槽回転などによる振動で、注水口の上部水路の残水が落下し、水が洗濯槽内に落ちて衣類を濡らしてしまうという課題が解決できる。
【発明を実施するための最良の形態】
【０００８】
実施の形態１．
図１は本発明の実施の形態１の洗濯機の洗剤投入装置の一部断面を示した斜視図、図２は同側面断面図、図３は同正面断面図、図４は残水導出部材の斜視図、図５は残水導出部材と注水口の位置関係を示す説明図、図６は注水口と残水導出部材の正面断面から見た場合の水の導出状況を示した説明図、図７は図６における断面Ａ−Ａ'から見た場合の水の導出状況を示した説明図、図８は図５における断面Ｂ−Ｂ'から見た場合の水の導出状況を示した説明図である。
【０００９】
洗剤投入装置１は、洗剤ケース２と注水装置３とから構成される。洗剤ケース２は底面が後方に向けて下に傾斜した洗剤投入部４と、洗剤投入部４の後方下部に洗剤流出口５を備え、注水装置３に引き出し可能な状態で収納される。注水装置３は給水管６から給水される水道水を空間の高さが５ｍｍの水路７を介して複数の直径３ｍｍの円状の注水口８より洗剤ケース２の洗剤投入部４に注水する。洗剤投入部４に投入された洗剤９は、注水口８からの注水により、水とともに洗剤流出口５より流し出され、出水口１０より洗濯槽に投入される。
【００１０】
残水導出部材１１は注水口８の下部に設けられ、注水装置３の奥行き方向に対して垂直な向きに右下に傾斜した傾斜面１２を有し、傾斜面１２に一辺の長さが９ｍｍの正方形からなる４個の開口１３と、開口１３の周囲を構成する幅４ｍｍの枠体１４を有する。傾斜面１２の上面と注水口８の間の距離は左端部で１ｍｍ、右端部で３ｍｍであり、傾斜角度は約２度である。また、枠体４の手前側には鉛直面を構成するリブ１５を有する。残水導出部材１１はポリプロピレンやＡＢＳ、ポリエチレンなどの厚み１．５ｍｍの樹脂材料で構成される。
【００１１】
図５は残水導出部材１１を注水口８下部に設置した状態を下から見た図であり、図の上側が注水装置３の手前側に対応する。残水導出部材１１の注水口８の下部への水平方向の設置位置は、開口１３の一つに対し、上部に１個の注水口８が重なるようにし、また、枠体１４の上部には複数の注水口８が重なるように構成している。
【００１２】
次に、水道水からの給水が止まった際に水路７に満たされている水の注水口８からの導出挙動について、図６から図８に照らして説明する。
水路７は給水管６から給水されているときには、内部は水で満たされている。給水が止まると同時に水の流れが止まり、開口１３から連続して流れ出ていた水は開口１３の下で途切れ、大部分は水滴になって落下する。給水が止まった時点では、注水口８と残水導出部材１１の間には水が満たされており、この部分に保持された水と水路７の中の水は注水口８を介して連続しているため、注水口８における水の表面張力は発生しない。残水導出部材１１は右側に傾斜しているため、上部に保持された水は右側に流れながら開口１３より流れ出る。
また、残水導出部材１１の開口１３は一辺が９ｍｍの正方形の開口であるため、水の表面張力により開口１３にとどまろうとする力よりも、開口１３の上部に加わる水の重量の方が大きくなり、水は滞ることなく開口１３から流れ出る。ここで、水路７の水は図７に示すように開口１３より流れ出る水１６と連続しているため、注水口８より連続して流出する。
【００１３】
一方、水の右側への流れの発生と同時に残水導出部材１１の左側の開口１３の周辺からは水がなくなるため、図６、図８に示すように左側の開口１３上部の注水口８より空気１７が流入する。そして、右側の開口１３および注水口８からの水の導出と、左側からの空気の流入が継続するため、水路７に満たされた水が導出される。
【００１４】
残水導出部材１１の枠体１４は注水口８の下に配置されているため、給水が止まった際に水を注水口８から引き離さずに残水導出部材１１と間に保持し易くする効果を奏する。また、枠体１４が注水口８の下に配置されることにより、給水時に水が枠体１４に当たるが、リブ１５によりせき止められるため、注水装置３の手前側に漏れ出すことはない。
【００１５】
本実施の形態１において、開口１３の形状を一辺が９ｍｍの正方形としたが、これに限ったものでなく、一辺が８ｍｍから１２ｍｍの略正方形の開口でも同様に水路７の水の導出効果を得ることができる。また、複数の開口１３の大きさが異なっていたり、一部開口が小さい部分があるなどのばらつきがあっても、水路７の水の導出効果を得ることができる。
【００１６】
また、本実施の形態１において、傾斜面１２の傾斜を約２度で構成したが、これに限ったものでなく、傾斜角度は１度の場合でも水路７の水の導出効果を得ることができる。傾斜面１２の傾斜角度は大きすぎると注水口８と残水導出部材１１の間に水を保持する効果が低減するため、５度以内とすることが望ましい。
【００１７】
また、本実施の形態１において、注水口８と残水導出部材１１の間の距離を左端部で１ｍｍ、右端部で３ｍｍに構成しているが、これに限ったものでなく、注水口８と残水導出部材１１の間に水を保持可能な寸法とすればよいが、５ｍｍ以下とすることが望ましい。
【００１８】
実施の形態２
図９は本実施の形態２の洗剤投入装置の残水導出部材と注水口の位置関係を示す説明図である。図において、実施の形態１と同一の部分には同一符号を付し説明を省略する。図において、上側が注水装置３の手前側に対応する。開口１８は残水導出部材１１の傾斜面１２に複数設けられた直径１２ｍｍの円形状の開口であり、開口１８の周囲の枠体１９は隣り合う開口１８間の距離および端部までの距離が最小部分で４ｍｍとなるように構成している。また、残水導出部材１１の注水口８の下部への水平方向の設置位置は、開口１８の一つに対し、上部に１個の注水口８が重なるようにし、また、枠体１９の上部には複数の注水口８が重なるように構成している。
【００１９】
水道水からの給水が止まった際に水路７に満たされている水の注水口８からの導出挙動は実施の形態１と同様であるが、枠体１９の水を保持する面積が部分的に広くなることにより、残水導出部材１１の水の保持効果が向上するため、水の導出効果が高くなる。
【００２０】
本実施の形態２において、開口１８の形状を直径１２ｍｍの円形状としたが、これに限ったものでなく、直径が９ｍｍから１４ｍｍの円形状の開口でも同様に水路７の水の導出効果を得ることができる。また、開口１９の形状は真円でなかったり、異形な部分があるなどのばらつきがあっても、水路７の水の導出効果を得ることができる。
【図面の簡単な説明】
【００２１】
【図１】実施の形態１の洗濯機の洗剤投入装置の一部断面を示した斜視図。
【図２】実施の形態１の洗濯機の洗剤投入装置の側面断面図。
【図３】実施の形態１の洗濯機の洗剤投入装置の正面断面図。
【図４】実施の形態１の洗濯機の洗剤投入装置の注水装置の注水口の開口形状を示す平面図。
【図５】実施の形態１の洗濯機の洗剤投入装置の残水導出部材と注水口の位置関係を示す説明図。
【図６】実施の形態１の洗濯機の洗剤投入装置の注水口と残水導出部材の正面断面から見た場合の水の導出状況を示した説明図。
【図７】実施の形態１の洗濯機の洗剤投入装置の図６における断面Ａ−Ａ'から見た場合の水の導出状況を示した説明図。
【図８】実施の形態１の洗濯機の洗剤投入装置の図７における断面Ｂ−Ｂ'から見た場合の水の導出状況を示した説明図。
【図９】実施の形態２の洗剤投入装置の残水導出部材と注水口の位置関係を示す説明図。
【符号の説明】
【００２２】
１  洗剤投入装置、２  洗剤ケース、３  注水装置、４  洗剤投入部、５        洗剤流出口、６  給水管、７  水路、８  注水口、９  洗剤、１０  出水口、１１  残水導出部材、１２  傾斜面、１３  開口、１４  枠体、１５  リブ、１６  水、１７  空気、１８  開口、１９  枠体
【図１】
2009201596.tif 000003
【図２】
2009201596.tif 000004
【図３】
2009201596.tif 000005
【図４】
2009201596.tif 000006
【図５】
2009201596.tif 000007
【図６】
2009201596.tif 000008
【図７】
2009201596.tif 000009
【図８】
2009201596.tif 000010
【図９】
2009201596.tif 000011